(57)【要約】机上を整理する装置及び方法であって、第１端部にハンドルとして機能する開口を有する板を含み、開口は引っ掛け部を有する。板は、第２端部に二つの開口を更に含む。複数の重なる羽根が板に取り付けられ、第１端部の開口と第２端部の二つの開口との間に配置される。切れ目のないバンドの二つの端部は、第２端部の二つの開口に取り付けられ得る。ユーザは、彼又は彼女の机を整理するために羽根間にファイルを置き得る。ユーザは、次いで、バンドを羽根及びファイル上にわたって引き、該バンドを第１開口の引っ掛け部に引っ掛けることにより、該装置内にファイルを固定し得る。
2006528564.tif 000002
【特許請求の範囲】
【請求項１】
机上を整理する方法であって、
第１羽根と、第１羽根がその第１端部で取り付けられる板との間に第１空間を空ける工程と、
板上にファイルを置く工程と、
第１羽根をファイル上に配置する工程と、
板の一端部に取り付けられたバンドを第１羽根上に延在させる工程とを含む方法。
【請求項２】
前記第１羽根は複数の羽根のうちの一つであり、該方法は、
前記複数の羽根のうちの二つの隣り合う羽根間に空間を空ける工程であって、該二つの隣り合う羽根が該複数の羽根それぞれの一端部で板に取り付けられる該工程と、
前記二つの隣り合う羽根間に第２ファイルを置く工程と、
前記二つの隣り合う羽根間に第２ファイルを挟む工程とを更に含む請求項１の方法。
【請求項３】
前記板は、引っ掛け部を有する開口を更に含み、該方法は、
前記バンドを該引っ掛け部に留める工程を更に含む請求項２の方法。
【請求項４】
前記バンドは弾性を有し、該バンドを引き伸ばす工程を更に含む請求項３の方法。
【請求項５】
机上ファイル整理具であって、
第１端部及び第２端部を有する板と、
それぞれの第１端部で板に取り付けられる複数の羽根と、
板の第２端部に取り付けられ、羽根を板に対して留めるように構成されるバンドとを備えた整理具。
【請求項６】
前記羽根は可撓性を有し、板に取り付けられる請求項５の整理具。
【請求項７】
前記複数の羽根は、板の第１端部と第２端部の間に配置され、該板は、その第１端部に開口と該開口における引っ掛け部とを更に含む請求項６の整理具。
【請求項８】
前記バンドは二つの端部を更に含み、該二つの端部は、板の第２端部に取り付けられ、羽根は、バンドの該二つの端部と板の開口との間にある請求項７の整理具。
【請求項９】
前記バンドは弾性であり、前記引っ掛け部は、該弾性バンドが引っ掛け部に対して配置された際、該弾性バンドが複数の羽根上で引き伸ばされた形態にとどまるように該弾性バンドと係合するように構成される請求項８の整理具。
【請求項１０】
前記弾性バンドの引っ掛け部に配置された部分は補剛材で補強される請求項９の整理具。
【請求項１１】
前記弾性バンドは金属管で補強される請求項１０の整理具。
【請求項１２】
前記板は、各羽根のための少なくとも一つのスロットを含む請求項５の整理具。
【請求項１３】
前記各羽根は、前記スロット周りの回転に抵抗するように構成されたベロ部を含む請求項１２の整理具。
【請求項１４】
前記各羽根は、少なくとも一つのスロット内に挿入されるように構成された少なくとも一つのタブを一端部に有する請求項１３の整理具。
【請求項１５】
前記板の長手に沿って板に複数のスロットを更に含む請求項１４の整理具。
【請求項１６】
前記複数のスロットは、ほぼ１インチ間隔で離隔される請求項１４の整理具。
【請求項１７】
前記各羽根は二つのタブを有する請求項１４の整理具。
【請求項１８】
ファイリングシステムであって、
第１端部及び第２端部を有し、かつ第１端部における開口と第２端部における一組の開口とを含む板と、
板に配された複数のスロットと、
複数の羽根とを備え、
各羽根はタブを含み、各羽根のタブは対応するスロット内に配置されて板に連結され、羽根は、板の第１端部における開口と板の第２端部における一組の開口との間に配置されるファイリングシステム。
【請求項１９】
前記板の第２端部における一組の開口に配置される二つの端部を有するバンドを更に含み、
板の第１端部の開口は引っ掛け部を含み、バンドは、複数の羽根を互いに対して及び板に対して拘束するため、板の第１端部における開口の引っ掛け部に対して配置されるように適合される請求項１８のファイリングシステム。
【請求項２０】
前記バンドは弾性を有する請求項１９のファイリングシステム。
【請求項２１】
前記各羽根は、前記タブに隣接配置されるベロ部を更に備え、該ベロ部は、回転しないように羽根を抑制するようにされる請求項１８のファイリングシステム。
【請求項２２】
机上ファイリング整理具であって、
第１端部、第２端部及び折り目を含む板と、
第１端部と折り目との間に配置される複数の羽根であって、各羽根それぞれの第１端部で板に取り付けられる複数の羽根とを備えた整理具。
【請求項２３】
前記板は、第１区域と第２区域を更に備え、該板は、第１区域が第２区域上に重なり、かつ複数の羽根が第１区域と第２区域の間にあるように前記折り目周りに折り返されるように構成される請求項２２の整理具。
【請求項２４】
机上ファイリング整理具であって、
板と、
ファイルを板に固定するために板から延びる羽根と、
羽根及びファイルを板に対し固定するための手段とを備えた整理具。
【請求項２５】
前記固定手段は、板の一端部に取り付けられ、かつ羽根及びファイルを横切って配置されるバンドを含む請求項２４の整理具。
【請求項２６】
前記板は、第１区域と、折り目によって第１区域から分けられた第２区域とを含み、前記固定手段は、第１区域及び羽根上に折り返された際の第２区域を含む請求項２４の整理具。
【請求項２７】
ファイル整理具兼携帯用ケースであって、
第１及び第２端部と第１端部に配置されたハンドルとを有する板と、
複数の羽根であって、板に対し該各羽根の一端部で取り付けられる該複数の羽根とを備え、
各羽根は、各羽根間に少なくとも一つのファイルを保管するように適合され、
該整理具は、作業スペースの上面に該整理具が水平位置に置かれるファイル整理位置における第１位置に配置され得ると共に、ハンドルを介して第２位置まで運ばれるようにされた垂直携帯位置に配置され得る整理具。
【請求項２８】
前記羽根及びファイルを板に対し固定する手段を更に含む請求項２７の整理具。
【請求項２９】
前記固定手段は、板の第２端部に取り付けられ、かつハンドルにおける引っ掛け部に対して引っ掛けられるバンドを含む請求項２８の整理具。
【請求項３０】
前記板は、第１部分と第１部分から折り目で分けられた第２部分とを含み、前記固定手段は、第１区域上に折り返された際の第２区域を含む請求項２８の整理具。
【請求項３１】
ファイリングシステムを整理する方法であって、
羽根と板との間にスペースを空ける工程であって、羽根がその一端部で板に取り付けられ、かつ、板が第１位置に水平に配置されると共にハンドルを含む該工程と、
ファイルを板上に置く工程と、
ファイル上に羽根を配置する工程と、
板の一端部に取り付けられたバンドを羽根上に延在させる工程と、
板における引っ掛け部に対しバンドを引っ掛ける工程と、
板を前記第１位置から、位置が垂直位置に移される第２位置へと移動させる工程とを含む方法。
【発明の詳細な説明】
【技術分野】
【０００１】
本発明は、机上を整理する方法及び装置に関し、更に詳しくは、付属のファイル仕切りを有する板に関する。
【背景技術】
【０００２】
ある調査によれば、人々は、彼らの仕事場を二つの態様、すなわち、ファイルを机上に積み重ねる態様又はファイルをファイリングして整理しておく態様のいずれかで整理することを示している。積み重ねる者は、一般に、資料をすぐ手の届くところに置くことを好み、作業領域をかなり整理された状態に保つ煩わしさを好まない。これは、ユーザが机上にすこぶる多いファイルを置かない場合は効率的である。しかしながら、多くのファイルが累積し、作業スペースが非効率で散らかった状態になることはほとんど避けられない。
【０００３】
調査によれば、作業スペースの色々な領域が一貫して使用される一方、他の領域が実質上全く利用されないことを更に示している。机上にファイルを保持する者は、通常、それらファイルを使用できるスペースに保ち、これにより、作業スペースの乱雑さ及び非効率性が増長する。書類を整理された態様でファイルする傾向にある者は、通常、それら書類を、頻繁には使用しないスペースにファイルし、そのため、該スペースは、一般にアクセスが容易ではない。
【発明の開示】
【発明が解決しようとする課題】
【０００４】
作業域の有用なスペースに維持される適当な位置にファイリングシステムを有することも有益である。特に、積み重ねる者にとって、彼らが好むように、机上に整理された態様でファイルが配置された状態を保つシステムを有することは有益であろう。最後に、このファイリングシステムは、簡易に作製でき、美的に快く、コスト効率が高いものであるべきであろう。
【課題を解決するための手段】
【０００５】
本発明は、種々の変更や別の構成が可能である一方、ある例示的実施形態が図面に示されると共に以下に詳述される。しかし、当然のことながら、本発明を特定の開示形態に限定する意図はなく、特許請求の範囲で定義した本発明の範囲及び精神の範囲内にあるすべての変更、別の構成及び均等物を含むことを企図する。
【発明を実施するための最良の形態】
【０００６】
図面、特に図１〜３を参照すれば、机上ファイラ１０の一例が示される。ファイラ１０は、複数の羽根１４を支持する板１２を含み、羽根１４は、第１羽根１４ａ、第２羽根１４ｂ等を含む。羽根１４は、拘束バンド１６によって板１２に対して強制的に横たわる。この開示は、机上に置かれている本装置に保管されているファイル（書類）を記述するが、本、地図、コンパクトディスク、小売店ディスプレイ等の他の物品も保管され整理され得、また、本装置は他の場所に置かれ得る。
【０００７】
図５に示されるように、板１２は、複数のスロット１８を含む。スロット１８は、典型的なファイルをその間に適合させるのに十分広い間隔ｄ分、互いに離隔される。ここでは、典型的なファイルは、２、３枚の紙だけを含むような小さいものであり得、又は、紙の束を含むより大きいものであり得る。この例において、スロット１８は、板１２に配置されるスロット組２０で構成される。各スロット組２０は、羽根１４の一部を受け入れるように構成される。軸線Ａ−Ａは、各組２０のスロット１８間に定義される。
【０００８】
板１２は、ハンドル２４を規定する開口２２を更に含む。開口２２には引っ掛け（キャッチ）部２６が配置され、引っ掛け部２６の各端部には二つの溝２８がある。最後に、ハンドル２４とは反対側の板の側部には、一組の開口３０ａ及び３０ｂがある。板１２は、複数の職場ファイルを支持しかつ一般的な酷使に耐えるのに十分な剛性及び耐久性を有する既知のどのような材料からでも製造され得るが、プラスチックもしくはファイバーボードのように軽量で廉価であるべきである。
【０００９】
図６は羽根１４の例を示す。各羽根１４は、スロット組２０それぞれに挿入されるように構成された一組のタブ３２と、タブ３２間に配置されたベロ部３３とを含む。タブ３２は、熱かしめ、溶接、接着等を含む技術的に知られているどのような手段によっても板１２の裏面に対ししっかりと留められ得る。タブ３２は、図３に最も良く示すように羽根１４及びベロ部３３が板１２に対し平らに横たわる傾向となるように固定される。
【００１０】
ベロ部３３は、軸線Ａ−Ａ周りの羽根１４の回転に抵抗するように、図２に示すように軸線Ａ−Ａにまたがって横たわる。従って、図４に示すようにファイル３５を挿入するため、例えば第１羽根１４ａは、軸線Ａ−Ａ周りの羽根１４の回転によるのではなく、羽根１４自体の可撓性を介して板１２から引き上げられる。従って、羽根１４は、可撓性ではあるが、日常的な使用による恒久的な変形を起こさせない程度の強度を有するどのような材料からでも作製され得る。例えば、ベース１２と同様に、羽根１４は、ポリプロピレン、ポリエチレン等のプラスチック、又はファイバーボード等の紙製品から製造され得る。
【００１１】
羽根１４は、自由端部３６付近の羽根１４上に配置されるラベル３４を含み得る。ユーザは、ラベル３４に、例えば、該ファイルが何時扱われるか、どのファイルが保管されるか等、どのような情報をも書き留め得る。羽根１４は、理想的には、標準的なファイルよりも大きくなるように寸法が決められるが、該標準ファイルよりも小さいものもあり得る。更に、羽根１４及び板１２は、整合するタブ３２の組とスロット１８の組を有して示されるが、各羽根１４が一又は複数のタブ３２を有し得、かつ板１２が少なくとも該タブ３２を受け入れる数のスロット１８を有し得ることも考えられる。更にまた、羽根１４は、本開示の範囲から逸脱することなく、技術的に知られている多くの方法で板１２に取り付けられ得る。この羽根１４の構成は例示的なものであり、例えば羽根１４を板１２から打ち抜く等、他の仕切り構造も本開示の範囲内にある。
【００１２】
次に図２〜７を参照して、拘束バンド１６は、二つの区域１６ａ及び１６ｂを有して示される。この例において、バンド１６は、ゴム等の弾性材料から作製されるが、非弾性材料も同様に使用され得る。バンド１６は、固定端部３８と引っ掛け端部４０を有する。固定端部３８は、区域１６ａ及び１６ｂの二つの端部４２ａ及び４２ｂを含み、これら端部４２ａ及び４２ｂは、板１２の開口３０ａ及び３０ｂに挿入されて、技術的に知られていずれかの方法によって板１２にしっかりと留められる。この方法は、溶接、接着、ストッパーを該端部に圧着することを含み、又は、一本のバンド１６を、一方の開口３０ａを通り第２の開口３０ｂを後ろから通ってバンド１６の両区域１６ａ及び１６ｂを形成するように連続させることさえも含む。更に、バンド１６は、一区域１６ａのみを有するように、すなわち一本のストリップのように使用され得る。
【００１３】
引っ掛け端部４０は、図１、２、３、７及び８に見られるように、弾性バンド１６を、板１２の引っ掛け部２６に対してラッチする（引っ掛ける）ように用いられる。これは、バンド１６を、羽根１４上で伸長して緊張した状態に固定し、これにより、板１２に対し羽根１４を押さえ込む。これは、羽根１４と、この例では羽根１４間のファイル３５とをしっかりと保持する。
【００１４】
引っ掛け端部４０は、図７、８及び８ａから分かるように、拘束バンド１６を囲むスリーブ４４を含み得る。スリーブ４４は、円筒状で、そのためバンド１６を囲んで圧縮する第１部分４５を含む。スリーブ４４は、スリーブ４４が単に半円筒状で、そのため「Ｕ字」断面を形成する第２部分４７を更に含む。スリーブ４４は、バンド１６の周囲に巻かれ得る、鋼等の硬い材料から形成され得る。スリーブ４４は、引っ掛け部２６周りに対してバンド１６を配置するための堅くて耐久性のある表面を作り出す。別の例において、スリーブ４４は、全く使用されないかもしれない。
【００１５】
机上ファイラ１０の典型的な使用において、ユーザは、彼又は彼女の作業場所の有用領域４９にファイラ１０を配置するであろう。ユーザは、第１羽根１４ａを曲げて開放し、ファイルを板１２上に置き、次いで、第１羽根１４ａが該ファイル上に曲がり戻ることを許容する。ユーザは、次に、第１羽根１４ａの上面上で第２羽根１４ｂの下に第２のファイルを同様に配置し得る。この態様において、ユーザは、彼又は彼女の机上に多くのファイルを連続的に配置することができる。羽根１４ａ、１４ｂ、・・・を、各ファイル間に配置することにより、該ファイルは、見つけ出すのを容易にする態様で整理される。もちろん、ユーザは、どの羽根１４間にファイルを置いてもよく、また、ユーザは、ファイラ１０にどのような順序でファイルを入れてもよい。板１２に対しファイル及び羽根１４を留めるため、拘束バンド１６が羽根１４にわたって伸長されると共に、引っ掛け端部４０が板１２の引っ掛け部２６に対して引っ掛けられ得る。ユーザの机の整理を更に支援するため、ラベル３４が、羽根１４の自由端部３６に配置されて、どのファイルが保管されているか、又はファイルに何がなされなければならないかに関する表示がラベル３４上になされ得る。
【００１６】
ファイラ１０の更なる使用において、ファイラ１０は、ファイル３５が依然としてファイラ１０に保持されたまま容易に移動させられ得る。ユーザは、単にハンドル２４を把持してファイラ１０を運び得る。バンド１６がファイル３５を羽根１４間内に拘束するため、ファイル３５はファイラ１０に保持される。ファイラ１０の羽根１４及びバンド１６は、ファイラ１０が垂直配向で移動させられることを許容する。
【００１７】
ファイラ１０はまた、垂直に吊り下げられ得、それでもなお板１２に対し羽根１４間中にファイル３５を保持することができる。くぎもしくはクリップが一般に知られているように壁に配置され、ファイラ１０は、開口２２を該くぎもしくはクリップ上に置くことによって壁に掛けられる。そのような態様でファイラ１０を使用することで、作業スペース４９上の更に広いスペースが空けられ得、また、ファイル３５は有用で手の届く領域に保たれ得る。
【００１８】
机上ファイラ５０の第２の例が図９に示される。このファイラは、板５２と、上記第１の例とは相反して板５２に対し回転（回動）可能に取り付けられた複数の羽根５４とを含む。複数の羽根５４は、第１羽根５４ａ、第２羽根５４ｂ等を含む。
【００１９】
図１０から分かるように、板５２は、折り目６０により実質上半分に分割された第１区域５６と第２区域５８を含む。板５２は複数のスロット６２を含み、該スロット６２はスロット組６４に配列される。軸線Ｂ−Ｂは、一組６４のスロット６２間に規定される。板５２は、第１ハンドル６６と第２ハンドル６８を更に含む。
【００２０】
羽根５４は、第１の例と同様のタブ７０を含む。しかしながら、羽根５４はベロ部を含まない。ベロ部の代わりに、羽根５４は、図１１に最も良く示すような切除区域７２を含む。この例において、羽根５４は、同様に板５２のスロット６２内に挿入されて板５２に取り付けられる。羽根５４は、軸線周りの回転に抵抗するベロ部を含まないので、羽根５４は、軸線Ｂ−Ｂ周りを自由に回転することができる。
【００２１】
羽根５４及びファイルをファイラ５０に対して留めるため、第２区域５８は、図１２に見られかつ矢印６１で表されるよう、折れ目６０から羽根５４及び第１区域５６上へと折られる。次いで、第１半体５６は、留め金もしくはクリップを含む技術的に知られている任意の方法により、又は、二つのハンドル６６及び６８を単に共に保持することにより、第２半体５８に留められ得る。
【００２２】
上記より、当業者は、本開示が机上ファイラを用いて作業スペースを整理するための装置及び方法を記述していることを認識するであろう。しかしながら、当業者は、多くの物品を有するある表面が整理を必要とする多くの状況に本開示の新規な教示を容易に適用することができる。この物品は、コンパクトディスク、本、地図、小売店ディスプレイ等を含むが、これらに限定はされない。そういうものとして、本開示の教示は、ここに開示した特定の例に限定されるとは考えられず、本発明の精神及び範囲内にあるすべての用途を含む。
【図面の簡単な説明】
【００２３】
【図１】本開示の教示に従って構成された机上ファイラの斜視図である。
【図２】図１の机上ファイラの上面図である。
【図３】図１の机上ファイラの側面図である。
【図４】図１の机上ファイラにファイルされたファイルの斜視図である。
【図５】図１の机上ファイラの板の上面図である。
【図６】図１の机上ファイラの羽根の一つの上面図である。
【図７】図１の机上ファイラの弾性バンドの側面図である。
【図８】図７の弾性バンドの端部フックの詳細図である。
【図８Ａ】図８の端部フックの斜視図である。
【図９】本発明の教示に従って構成された机上ファイラの第２実施例の斜視図である。
【図１０】羽根が取り外された、図９の第２机上ファイルの板の上面図である。
【図１１】図９の第２机上ファイラの羽根の一つの上面図である。
【図１２】固定位置にある図９の机上ファイラの側面図である。
【符号の説明】
【００２４】
１０  机上ファイラ
１２  板
１４  羽根
１６  拘束バンド
１８  スロット
２２  開口
２４  ハンドル
２６  引っ掛け部
３２  タブ
３３  ベロ部
【図１】
2006528564.tif 000003
【図２】
2006528564.tif 000004
【図３】
2006528564.tif 000005
【図４】
2006528564.tif 000006
【図５】
2006528564.tif 000007
【図６】
2006528564.tif 000008
【図７】
2006528564.tif 000009
【図８】
2006528564.tif 000010
【図８Ａ】
2006528564.tif 000011
【図９】
2006528564.tif 000012
【図１０】
2006528564.tif 000013
【図１１】
2006528564.tif 000014
【図１２】
2006528564.tif 000015
【国際調査報告】
2006528564.tif 000016
2006528564.tif 000017